(57)【要約】【課題】暖房運転と貯湯運転の同時運転を可能とし、使用性および快適性を向上させた暖房給湯システムを提供すること。【解決手段】利用側熱交換器２２を有し、冷媒が循環する冷媒回路２と、利用側熱交換器２２で冷媒により加熱された熱媒体が、負荷側熱交換器３２側に搬送され、利用側熱交換器２２側に戻る熱媒体回路３と、熱媒体回路３に、利用側熱交換器２２と並列に設けられた貯湯部１０と、熱媒体回路３と貯湯部１０との接続部に設けられ、利用側熱交換器２２から流出した熱媒体を、貯湯部１０側に流す流量と負荷側熱交換器３２側に流す流量との分配比を調整する分配装置６０とを備え、分配装置６０の分配比を調整して、利用側熱交換器２２で加熱された熱媒体が、負荷側熱交換器３２で放熱される暖房運転と、貯湯部１０に貯湯される貯湯運転とを同時に実行する暖房給湯システム。【選択図】図２
2020180737.tif 000002
【特許請求の範囲】
【請求項１】
圧縮機、利用側熱交換器、膨張装置、熱源側熱交換器が環状に接続され、冷媒が循環する冷媒回路と、
負荷側熱交換器と接続され、前記利用側熱交換器で前記冷媒により加熱された熱媒体が、循環装置によって負荷側熱交換器側に搬送され、前記負荷側熱交換器で放熱後に、前記利用側熱交換器側に戻り、前記熱媒体が循環する熱媒体回路と、
前記熱媒体回路に、前記利用側熱交換器と並列に設けられた貯湯部と、
前記熱媒体回路と前記貯湯部との接続部に設けられ、前記利用側熱交換器から流出した前記熱媒体を、前記貯湯部側に流れる流量と前記負荷側熱交換器側に流れる流量との分配比を調整する分配装置と、
制御装置と、
を備え、
前記制御装置が、前記分配装置の分配比を調整して、
前記利用側熱交換器で前記冷媒により加熱された熱媒体が、
前記負荷側熱交換器で放熱される暖房運転と、前記貯湯部に貯湯される貯湯運転と、
を同時に実行する運転モードを有することを特徴とする暖房給湯システム。
【請求項２】
前記利用側熱交換器から流出する前記熱媒体の温度を検出する温度センサを備え、前記制御装置は、前記分配装置の分配比を、前記温度センサで検出される温度に基づいて設定することを特徴とする請求項１に記載の暖房給湯システム。
【請求項３】
前記利用側熱交換器から流出した前記熱媒体の、前記負荷側熱交換器側と前記貯湯部側との分流部に、前記分配装置が配設されていることを特徴とする請求項１または２に記載の暖房給湯システム。
【請求項４】
前記負荷側熱交換器側からの前記熱媒体と、前記貯湯部側からの前記熱媒体との合流部に、前記分配装置が配設されていることを特徴とする請求項１または２に記載の暖房給湯システム。
【請求項５】
前記温度センサで検出される温度が所定温度未満の場合には、前記負荷側熱交換器側に流れる前記熱媒体の流量が増加するように、前記制御装置は、前記分配装置の分配比を設定することを特徴とする請求項２に記載の暖房給湯システム。
【請求項６】
前記温度センサで検出される温度が所定温度以上の場合には、前記貯湯部側に流れる前記熱媒体の流量が増加するように、前記制御装置は、前記分配装置の分配比を設定することを特徴とする請求項２に記載の暖房給湯システム。
【請求項７】
前記圧縮機が停止している期間は、前記熱媒体回路と前記貯湯部との間の流路抵抗が最大となるように、前記制御装置は、前記分配装置の前記分配比を設定することを特徴とする請求項１〜６のいずれか１項に記載の暖房給湯システム。
【請求項８】
前記負荷側熱交換器側からの前記熱媒体と前記貯湯部側からの前記熱媒体との合流部と、前記利用側熱交換器の前記熱媒体の流入側との間に、前記循環装置は配設されていることを特徴とする請求項１〜７のいずれか１項に記載の暖房給湯システム。
【請求項９】
前記貯湯部は、前記利用側熱交換器で前記冷媒により加熱された前記熱媒体を直接貯湯する貯湯タンク、または、前記利用側熱交換器で前記冷媒により加熱された前記熱媒体が流れる貯湯熱交換器と、前記貯湯熱交換器で前記熱媒体が加熱生成した湯を貯湯する貯湯タンクとから構成されていることを特徴とする請求項１〜８のいずれか１項に記載の暖房給
湯システム。
【発明の詳細な説明】
【技術分野】
【０００１】
本発明は、暖房給湯システムに関するものである。
【背景技術】
【０００２】
従来、この種の暖房給湯システムにおいては、ヒートポンプの加熱熱交換器で、冷媒と熱媒体が熱交換して高温の熱媒体が生成されて循環し、室内空間を加熱する暖房運転を実行する技術や、また、加熱された熱媒体が他の熱媒体を加熱し、貯湯タンクに貯湯させる貯湯運転を実行する技術が開示されている（例えば、特許文献１参照）。
【先行技術文献】
【特許文献】
【０００３】
【特許文献１】国際公開第２０１３／０８４３０１号
【発明の概要】
【発明が解決しようとする課題】
【０００４】
しかしながら、前記従来の構成では、暖房運転のときに貯湯運転の要求があると、暖房運転を停止させる必要があり、使用性および快適性を低下させてしまうという課題を有していた。
【０００５】
本発明は、前記従来の課題を解決するもので、暖房運転と貯湯運転の同時運転を可能とし、使用性および快適性を向上させた暖房給湯システムを提供することを目的とする。
【課題を解決するための手段】
【０００６】
前記従来の課題を解決するために、本発明の暖房給湯システムは、圧縮機、利用側熱交換器、膨張装置、熱源側熱交換器が環状に接続され、冷媒が循環する冷媒回路と、負荷側熱交換器と接続され、前記利用側熱交換器で前記冷媒により加熱された熱媒体が、循環装置によって負荷側熱交換器側に搬送され、前記負荷側熱交換器で放熱後に、前記利用側熱交換器側に戻り、前記熱媒体が循環する熱媒体回路と、前記熱媒体回路に、前記利用側熱交換器と並列に設けられた貯湯部と、前記熱媒体回路と前記貯湯部との接続部に設けられ、前記利用側熱交換器から流出した前記熱媒体を、前記貯湯部側に流れる流量と前記負荷側熱交換器側に流れる流量との分配比を調整する分配装置と、制御装置と、を備え、前記制御装置が、前記分配装置の分配比を調整して、前記利用側熱交換器で前記冷媒により加熱された熱媒体が、前記負荷側熱交換器で放熱される暖房運転と、前記貯湯部に貯湯される貯湯運転と、を同時に実行する運転モードを有することを特徴とするものである。
【０００７】
これにより、暖房運転と貯湯運転の同時運転を可能とし、使用性および快適性を向上させた暖房給湯システムを提供できる。
【発明の効果】
【０００８】
本発明によれば、暖房運転と貯湯運転の同時運転を可能とし、使用性および快適性を向上させた暖房給湯システムを提供できる。
【図面の簡単な説明】
【０００９】
【図１】本発明の実施の形態１における暖房給湯システムの暖房運転している場合の構成図
【図２】同暖房給湯システムの暖房運転と貯湯運転とを同時運転している場合の構成図
【図３】同暖房給湯システムの運転制御のフローチャート図
【図４】同他の暖房給湯システムの暖房運転と貯湯運転とを同時運転している場合の構成図
【図５】同他の暖房給湯システムの暖房運転と貯湯運転とを同時運転している場合の構成図
【発明を実施するための形態】
【００１０】
第１の発明は、圧縮機、利用側熱交換器、膨張装置、熱源側熱交換器が環状に接続され、冷媒が循環する冷媒回路と、負荷側熱交換器と接続され、前記利用側熱交換器で前記冷媒により加熱された熱媒体が、循環装置によって負荷側熱交換器側に搬送され、前記負荷側熱交換器で放熱後に、前記利用側熱交換器側に戻り、前記熱媒体が循環する熱媒体回路と、前記熱媒体回路に、前記利用側熱交換器と並列に設けられた貯湯部と、前記熱媒体回路と前記貯湯部との接続部に設けられ、前記利用側熱交換器から流出した前記熱媒体を、前記貯湯部側に流れる流量と前記負荷側熱交換器側に流れる流量との分配比を調整する分配装置と、制御装置と、を備え、前記制御装置が、前記分配装置の分配比を調整して、前記利用側熱交換器で前記冷媒により加熱された熱媒体が、前記負荷側熱交換器で放熱される暖房運転と、前記貯湯部に貯湯される貯湯運転と、を同時に実行する運転モードを有することを特徴とする暖房給湯システムである。
【００１１】
これにより、暖房運転と貯湯運転の同時運転を可能とし、使用性および快適性を向上させた暖房給湯システムを提供できる。
【００１２】
第２の発明は、特に、第１の発明において、前記利用側熱交換器から流出する前記熱媒体の温度を検出する温度センサを備え、前記制御装置は、前記分配装置の分配比を、前記温度センサで検出される温度に基づいて設定することを特徴とするものである。
【００１３】
これにより、負荷側熱交換器の放熱量（暖房能力）が、暖房負荷より大きい場合には、貯湯部への貯湯運転も実行しつつ、余剰の暖房能力によって暖房運転を行うこともできるため、使用性および快適性を向上させた暖房給湯システムを提供できる。
【００１４】
第３の発明は、特に、第１または第２の発明において、前記利用側熱交換器から流出した前記熱媒体の、前記負荷側熱交換器側と前記貯湯部側との分流部に、前記分配装置が配設されていることを特徴とするものである。
【００１５】
これにより、暖房運転と貯湯運転との同時運転を行う場合に、利用側熱交換器から流出した熱媒体を、貯湯部側に流す流量と、負荷側熱交換器側に流す流量との比率を、分配装置により直接調整できるため、使用性および快適性を向上させた暖房給湯システムを提供できる。
【００１６】
第４の発明は、特に、第１または第２の発明において、前記負荷側熱交換器側からの前記熱媒体と、前記貯湯部側からの前記熱媒体との合流部に、前記分配装置が配設されていることを特徴とするものである。
【００１７】
これにより、暖房運転と貯湯運転との同時運転を行う場合に、分配装置に、負荷側熱交換器で放熱後の低温の熱媒体が戻ってくるので、分配装置の温度上昇を抑制でき、耐久性に優れた暖房給湯システムを提供できる。
【００１８】
第５の発明は、特に、第２の発明において、前記温度センサで検出される温度が所定温度未満の場合には、前記負荷側熱交換器側に流れる前記熱媒体の流量が増加するように、前記制御装置は、前記分配装置の分配比を設定することを特徴とするものである。
【００１９】
温度センサで検出される温度が所定温度未満の場合には、暖房負荷に対する負荷側熱交換器の放熱量（暖房能力）が小さいと判断できる。
【００２０】
従って、この場合には、分配装置の分配比を調整して、負荷側熱交換器側に流れる熱媒体の流量を増加させることで、負荷側熱交換器の放熱量（暖房能力）も増加するため、快適性を向上させた暖房給湯システムを提供できる。
【００２１】
第６の発明は、特に、第２の発明において、前記温度センサで検出される温度が所定温度以上の場合には、前記貯湯部側に流れる前記熱媒体の流量が増加するように、前記制御装置は、前記分配装置の分配比を設定することを特徴とするものである。
【００２２】
温度センサで検出される温度が所定温度以上の場合には、暖房負荷に対して負荷側熱交換器の放熱量（暖房能力）が大きいと判断できる。
【００２３】
従って、この場合に、分配装置の分配比を調整して、貯湯部側に流れる熱媒体の流量は増加させ、すなわち、負荷側熱交換器側に流れる熱媒体の流量は低下させることで、負荷側熱交換器の放熱量（暖房能力）が、暖房負荷より大きい場合には、貯湯部への貯湯運転も実行しつつ、余剰の暖房能力によって暖房運転を行うこともできるため、使用性および快適性を向上させた暖房給湯システムを提供できる。
【００２４】
第７の発明は、特に、第１〜６のいずれかの発明において、前記圧縮機が停止している期間は、前記熱媒体回路と前記貯湯部との間の流路抵抗が最大となるように、前記制御装置は、前記分配装置の前記分配比を設定することを特徴とするものである。
【００２５】
これにより、圧縮機が停止している期間は、分配装置により、熱媒体回路と貯湯部との間の流路抵抗が極めて大きいので、貯湯部内の高温の熱媒体の低温の熱媒体回路への流出を抑制でき、エネルギー効率に優れた暖房給湯システムを提供できる。
【００２６】
第８の発明は、特に、第１〜７のいずれかの発明において、前記負荷側熱交換器側からの前記熱媒体と前記貯湯部側からの前記熱媒体との合流部と、前記利用側熱交換器の前記熱媒体の流入側との間に、前記循環装置は配設されていることを特徴とするものである。
【００２７】
これにより、循環装置が、負荷側熱交換器で放熱後の低温の熱媒体や、貯湯部で給湯に活用された後の低温の熱媒体を搬送する構成を実現できるので、搬送装置の耐久性に優れた暖房給湯システムを提供できる。
【００２８】
第９の発明は、特に、第１〜８のいずれかの発明において、前記貯湯部は、前記利用側熱交換器で前記冷媒により加熱された前記熱媒体を直接貯湯する貯湯タンク、または、前記利用側熱交換器で前記冷媒により加熱された前記熱媒体が流れる貯湯熱交換器と、前記貯湯熱交換器で前記熱媒体が加熱生成した湯を貯湯する貯湯タンクとから構成されていることを特徴とするものである。
【００２９】
これにより、貯湯タンク内の高温湯が、給湯熱交換器を用いて、給湯用の水を加熱することで、給湯用の高温湯を生成できる。
【００３０】
以下、本発明の実施の形態について、図面を参照しながら説明する。なお、この実施の形態によって本発明が限定されるものではない。
【００３１】
（実施の形態１）
図１は、本発明の実施の形態１における暖房給湯システムの構成図で、暖房運転している場合を示している。
【００３２】
図２は、本発明の実施の形態１における暖房給湯システムの構成図で、暖房運転と貯湯運転とを同時運転している場合を示している。
【００３３】
本発明の実施の形態１における暖房給湯システム１は、冷媒回路２と、熱媒体回路３と、貯湯部１０とから構成されている。
【００３４】
なお、実線は、熱媒体回路３における熱媒体の流れ方向、鎖線は、冷媒回路２における冷媒の流れ方向を示している。
【００３５】
冷媒を高温・高圧に圧縮する圧縮機２１、その高温・高圧の冷媒により熱媒体を加熱する利用側熱交換器２２、冷媒を高圧から低圧に減圧する膨張装置２３、送風装置６が発生させた空気より、冷媒が吸熱する熱源側熱交換器２４が環状に接続され、冷媒が循環する冷媒回路２が形成されている。
【００３６】
なお、冷媒としては、Ｒ４０７Ｃ等の非共沸混合冷媒、Ｒ４１０Ａ等の擬似共沸混合冷媒、または、Ｒ３２や二酸化炭素等の単一冷媒を用いることもできる。
【００３７】
また、熱源側熱交換器２４と圧縮機２１の間に、冷媒の気液分離を行うアキュムレータ２６が設けられている。また、冷媒回路２には、熱源側熱交換器２４に生成した霜を除去する除霜運転を行うために、圧縮機２１の吐出側と熱源側熱交換器２４とが直接連通するように、冷媒の流路を切り替える四方弁２５が設けられている。
【００３８】
また、熱媒体回路３に、床暖房パネル等の放熱器である負荷側熱交換器３２を接続する。
【００３９】
そして、利用側熱交換器２２で冷媒により加熱された熱媒体が、循環ポンプである循環装置３１によって負荷側熱交換器３２側に搬送され、負荷側熱交換器３２で放熱後に、利用側熱交換器２２側に戻り、熱媒体が循環するように形成されている。
【００４０】
なお、熱媒体回路３を循環する熱媒体としては、水または不凍液が用いられている。
【００４１】
さらに、貯湯部１０が、熱媒体回路３に利用側熱交換器２２と並列に設けられていて、熱媒体回路３と貯湯部１０との接続部には、利用側熱交換器２２から流出した熱媒体を、貯湯部１０側に流す流量と負荷側熱交換器３２側に流す流量との比率である分配比を調整する分配装置６０が設けられている。
【００４２】
なお、図１、図２に記載の、貯湯部１０は、利用側熱交換器２２で冷媒により加熱された熱媒体を直接貯湯する貯湯タンク５０である。貯湯タンク５０は、熱媒体分岐管６１を介して、熱媒体回路３と接続しており、貯湯タンク５０の熱媒体の流入側に分配装置６０が設けられている。
【００４３】
なお、貯湯部１０である貯湯タンク５０は、熱媒体回路３に利用側熱交換器２２と並列に設けられている。
【００４４】
すなわち、分配装置６０は、貯湯部１０側、すなわち、熱媒体分岐管６１と連通する開口面積と、負荷側熱交換器３２側の熱媒体回路３と連通する開口面積との面積比を変更することで、分配比を調整できる機構を備えている。
【００４５】
そして、制御装置４が、分配装置６０の分配比を調整することで、利用側熱交換器２２で冷媒により加熱された熱媒体が、負荷側熱交換器３２で放熱される暖房運転と、利用側熱交換器２２で冷媒により加熱された熱媒体が、貯湯部１０の貯湯タンク５０に貯湯される貯湯運転とを同時に行う運転モードを実行できる。
【００４６】
なお、貯湯部１０の貯湯タンク５０に貯湯される貯湯運転は、貯湯タンク５０に設けられているタンク温度サーミスタ７３の検出温度が所定温度以下で、制御装置４が貯湯タンク５０内のお湯が足りないと判断した場合に行われる。
【００４７】
また、利用側熱交換器２２で冷媒により加熱された熱媒体が、負荷側熱交換器３２で放熱される暖房運転は、使用者がリモコン（図時せず）等で、要求した場合に、制御装置４は、暖房運転を開始する。
【００４８】
具体的には、利用側熱交換器２２の出口側に、利用側熱交換器２２から流出する熱媒体の温度を検出する温度センサ７１を備え、制御装置４は、分配装置６０の分配比を、温度センサ７１で検出される温度に基づいて設定するようになっている。
【００４９】
なお、図１、図２に示す暖房給湯システム１では、熱媒体回路３において、利用側熱交換器２２から流出した熱媒体の、負荷側熱交換器３２側と貯湯部１０（熱媒体分岐管６１）側との分流部に、分配装置６０配設されている。
【００５０】
これにより、暖房運転と貯湯運転との同時運転を行う運転モードを実行する場合に、利用側熱交換器２２から流出した熱媒体を、貯湯部１０側、すなわち熱媒体分岐管６１側に流す流量と、負荷側熱交換器３２側に流す流量との比率を、分配装置６０により直接調整できるため、使用性および快適性を向上させた暖房給湯システム１を提供できる。
【００５１】
また、熱媒体回路３において、負荷側熱交換器３２側からの熱媒体と貯湯部１０（熱媒体分岐管６１）側からの熱媒体との合流部と、利用側熱交換器２２の熱媒体の流入側との間に、循環装置３１は配設されている。
【００５２】
これにより、循環装置３１には、負荷側熱交換器３２で放熱後の低温の熱媒体や、貯湯部１０で給湯に活用された後の低温の熱媒体を搬送する構成を実現できるので、循環装置３１の耐久性に優れた暖房給湯システムを提供できる。
【００５３】
なお、使用者より、給湯端末が開かれて、給湯の要求があった場合には、貯湯タンク５０と給湯回路５３を介して接続している給湯熱交換器５１において、貯湯タンク５０は温度成層型の構成により、給湯ポンプ５２が動作することで、給湯回路５３において、貯湯タンク５０の上部から、高温の熱媒体は給湯熱交換器５１を流れ、放熱後、再び貯湯タンク５０の下部に戻る。
【００５４】
また、低温の給水は、貯湯タンク５０から給湯回路５３を流れる熱媒体の流れと対向する流れ方向により、給湯熱交換器５１で、給湯回路５３を流れる熱媒体に加熱され、高温湯となり給湯される。
【００５５】
図３は、本発明の実施の形態１における暖房給湯システムの運転制御のフローチャート図である。
【００５６】
以下、図３に基づいて、利用側熱交換器２２で冷媒により加熱された熱媒体が、負荷側熱交換器３２で放熱される暖房運転と、貯湯部１０の貯湯タンク５０に貯湯される貯湯運転とを同時に行う運転モードが実行される場合について説明する。
【００５７】
まず、暖房給湯システム１の圧縮機２１が運転停止している期間（ステップＳ１）は、熱媒体回路３と貯湯部１０（熱媒体分岐管６１）との間の流路抵抗が最大となるように、制御装置４は、分配装置６０の分配比を設定する（ステップＳ２）。
【００５８】
すなわち、制御装置４は、分配装置６０の分配比を、貯湯部１０側、すなわち、熱媒体分岐管６１と連通する開口面積が最小となり、負荷側熱交換器３２側の熱媒体回路３と連通する開口面積が最大となるように設定する。
【００５９】
これにより、圧縮機２１が停止している期間は、分配装置６０により、熱媒体回路３と貯湯部１０との間の流路抵抗は極めて大きいので、貯湯部１０内の高温の熱媒体の低温の熱媒体回路３への流出を抑制でき、エネルギー効率に優れた暖房給湯システムを提供できる。
【００６０】
次に、制御装置４は暖房運転要求があるか判定する（ステップＳ３）。暖房運転要求がない場合は現在の状態を維持し、暖房運転要求がある場合は、循環装置３１と圧縮機２１と送風装置６とを動作させ、暖房運転を行う（ステップＳ４）。
【００６１】
次に、制御装置４は貯湯運転要求があるか判定する（ステップＳ５）。貯湯運転要求がない場合は現在の状態を維持し、貯湯運転要求がある場合は、分配装置６０の分配比を
負荷側熱交換器３２側と貯湯部１０（熱媒体分岐管６１）側とに連通するように設定し（ステップ６）、暖房と貯湯の運転を同時に行う（ステップ７）。
【００６２】
利用側熱交換器２２の熱媒体出口に設け、利用側熱交換器２２から流出する熱媒体の温度を検出する温度センサ７１が、熱媒体温度Ｔ１を検出し（ステップＳ８）、熱媒体温度Ｔ１と予め設定されている所定温度Ｔ０とを比較する（ステップＳ９）。
【００６３】
熱媒体温度Ｔ１が所定温度Ｔ０未満の場合には、暖房負荷に対する負荷側熱交換器３２の放熱量（暖房能力）が小さいと判断して、負荷側熱交換器３２側に流れる熱媒体の流量が増加するように、制御装置４は、分配装置６０の分配比を設定する（ステップ１０）。
【００６４】
逆に、熱媒体温度Ｔ１が所定温度Ｔ０以上の場合は、暖房負荷に対して負荷側熱交換器３２の放熱量（暖房能力）が大きいと判断でき、貯湯部１０への貯湯運転も実行しつつ、余剰の暖房能力によって暖房運転を行うこともできると判断して、貯湯部１０側に流れる熱媒体の流量が増加するように、制御装置４は、分配装置６０の分配比を設定する（ステップ１１）。
【００６５】
制御装置４は、貯湯運転要求がなくなるまで現在の状態を継続する（ステップＳ５）。貯湯運転要求がなくなった場合、暖房運転要求があるか判定し（ステップＳ３）、暖房運転要求がない場合には、冷媒回路２の圧縮機２１を停止する（ステップＳ１）。
【００６６】
図４は、本発明の実施の形態１における他の暖房給湯システムの構成図で、暖房運転と貯湯運転とを同時運転している場合を示している。
【００６７】
以下、図２に示す暖房給湯システム１と異なる部分についてのみ、以下に説明する。負荷側熱交換器３２側からの熱媒体と、貯湯部１０（熱媒体分岐管６１）側からの熱媒体との合流部に、分配装置６０が配設されている。
【００６８】
そして、貯湯部１０は、利用側熱交換器２２で冷媒により加熱された熱媒体が、貯湯タンク５０に直接貯湯する構成である。貯湯タンク５０は、熱媒体分岐管６１を介して、熱媒体回路３と接続しており、貯湯タンク５０の熱媒体の流出側に分配装置６０が設けられている。
【００６９】
これにより、循環装置３１が、負荷側熱交換器３２で放熱後の低温の熱媒体や、貯湯部１０で給湯に活用された後の低温の熱媒体を搬送する構成を実現できるので、循環装置３１の耐久性に優れた暖房給湯システムを提供できる。
【００７０】
図５は、本発明の実施の形態１における他の暖房給湯システムの構成図で、暖房運転と貯湯運転とを同時運転している場合を示している。
【００７１】
図２、図４に示す暖房給湯システム１と異なる部分のみについてのみ、以下に説明する。
【００７２】
貯湯部１０は、利用側熱交換器２２で冷媒により加熱された熱媒体が流れる貯湯熱交換器７０と、貯湯熱交換器７０で高温の熱媒体により加熱生成された熱媒体を貯湯する貯湯タンク５０と、貯湯熱交換器７０と貯湯タンク５０とを接続し、貯湯熱交換器７０と貯湯タンク５０との間で熱媒体を循環させるタンク回路７４とから構成されている。
【００７３】
具体的には、利用側熱交換器２２で冷媒により加熱された熱媒体が、貯湯熱交換器７０に配設されている熱媒体分岐管６１を流れ、貯湯タンク５０内の低温の熱媒体を、貯湯熱交換器７０で加熱して高温の熱媒体を生成し、それを貯湯タンク５０に貯湯する構成である。
【００７４】
そして、貯湯部１０を構成する、貯湯熱交換器７０と、貯湯熱交換器７０に配設されている熱媒体分岐管６１は、熱媒体回路３に利用側熱交換器２２と並列に設けられている。
【００７５】
そして、貯湯タンク５０に設けられているタンク温度サーミスタ７３の検出温度が所定温度以下で、制御装置４が、貯湯タンク５０内のお湯が足りないと判断した場合には、分配装置６０の分配比を、貯湯熱交換器７０の熱媒体分岐管６１側とに連通するように設定する。
【００７６】
その結果、循環装置３１と圧縮機２１と送風装置６とを動作させ、貯湯運転要求があり、貯湯運転を行うと、貯湯熱交換器７０の熱媒体分岐管６１に熱媒体が流れる。
【００７７】
さらに、貯湯ポンプ７２を動作させると、タンク回路７４において、貯湯タンク５０の下部から、低温の熱媒体は貯湯熱交換器７０を流れ、低温の熱媒体は、熱媒体分岐管６１を流れる熱媒体に加熱されて、再び貯湯タンク５０の上部に戻る。
【００７８】
すなわち、貯湯タンク５０の下部からタンク回路７４を流れる低温の熱媒体は、熱媒体分岐管６１を流れる高温の熱媒体と対向する流れ方向により、貯湯熱交換器７０で、熱媒体分岐管６１を流れる熱媒体に加熱され、高温の熱媒体となり、貯湯タンク５０の上部から貯湯される。
【００７９】
そして、使用者より、給湯端末が開かれて、給湯の要求があった場合には、貯湯タンク５０と給湯回路５３を介して接続している給湯熱交換器５１において、貯湯タンク５０は温度成層型の構成により、給湯ポンプ５２が動作することで、給湯回路５３において、貯湯タンク５０の上部から、高温の熱媒体は給湯熱交換器５１を流れ、放熱後、再び貯湯タンク５０の下部に戻る。
【００８０】
また、低温の給水は、貯湯タンク５０から給湯回路５３を流れる熱媒体の流れと対向する流れ方向により、給湯熱交換器５１で、給湯回路５３を流れる熱媒体に加熱され、高温湯となり給湯される。
【００８１】
なお、分配装置６０は、負荷側熱交換器３２側からの熱媒体と、貯湯部１０（熱媒体分岐管６１）側からの熱媒体との合流部に配設されていても良いし、利用側熱交換器２２から流出した熱媒体の、負荷側熱交換器３２側と貯湯部１０（熱媒体分岐管６１）側との分流部に配設されていても良い。
【産業上の利用可能性】
【００８２】
以上のように、本発明にかかる暖房給湯システムは、暖房運転と貯湯運転の同時運転を可能とし、使用性および快適性を向上させた暖房給湯システムを提供できるため、暖房給湯システムを用いた、空調、給湯、暖房機器等の用途に適用できる。
【符号の説明】
【００８３】
１  暖房給湯システム
２  冷媒回路
３  熱媒体回路
４  制御装置
１０  貯湯部
２１  圧縮機
２２  利用側熱交換器
２３  膨張装置
２４  熱源側熱交換器
３１  循環装置
３２  負荷側熱交換器
５０  貯湯タンク
５１  給湯熱交換器
５２  給湯ポンプ
５３  給湯回路
６０  分配装置
６１  熱媒体分岐管
７０  貯湯熱交換器
７１  温度センサ
７２  貯湯ポンプ
７３  タンク温度サーミスタ
７４  タンク回路
【図１】
2020180737.tif 000003
【図２】
2020180737.tif 000004
【図３】
2020180737.tif 000005
【図４】
2020180737.tif 000006
【図５】
2020180737.tif 000007